(57)【要約】      （修正有）【課題】水中において，沈下速度の調節及び水平姿勢を保つことが比較的容易な釣り用ルアーを提供する。【解決手段】釣り用ルアー１は，軟質性のルアー本体２と，当該ルアー本体２に装着されるリグ部材３と，からなっている。リグ部材３は，第一棒状体４と，２つに分岐した形状の釣針となるリグ部６を後端部に有し，第一棒状体４に連結された第二棒状体７と，を備えている。ルアー本体２は，先端部に設けられた，第一棒状体４が挿入される第一棒状体挿入部位９を備えている。そして，第一棒状体４が第一棒状体挿入部位９に挿入されることにより，ルアー本体２とリグ部材３とが一体的に組み合わされる。ここで，リグ部６を含めた第二棒状体７の長さは，ルアー本体２の長さと略同じである。【選択図】図２
2018046758.tif 000002
【特許請求の範囲】
【請求項１】
軟質性のルアー本体と，当該ルアー本体に装着されるリグ部材と，からなる釣り用ルアーであって，
前記リグ部材は，第一棒状体と，釣針となるリグ部を有し，前記第一棒状体に連結された第二棒状体と，を備え，
前記ルアー本体は，先端部に設けられた，前記第一棒状体が挿入される第一棒状体挿入部位を備え，
前記第一棒状体が前記第一棒状体挿入部位に挿入されることにより，前記ルアー本体と前記リグ部材とが一体的に組み合わされることを特徴とする釣り用ルアー。
【請求項２】
前記第二棒状体に凸状屈曲部が形成されるとともに，前記ルアー本体の略中央部に凸状屈曲部収納部位が形成され，
前記凸状屈曲部が前記凸状屈曲部収納部位に収納された状態で，前記ルアー本体と前記リグ部材とが一体的に組み合わされることを特徴とする請求項１に記載の釣り用ルアー。
【請求項３】
前記第二棒状体に，前記ルアー本体に突き刺すための棘部が設けられていることを特徴とする請求項１又は２に記載の釣り用ルアー。
【請求項４】
前記凸状屈曲部の横辺に沿って，前記ルアー本体に突き刺すための棘部が設けられていることを特徴とする請求項２に記載の釣り用ルアー。
【請求項５】
前記リグ部が，前記第二棒状体の後端部もしくは略中央部のいずれか又は双方に設置されていることを特徴とする請求項１から４のいずれか１項に記載の釣り用ルアー。
【請求項６】
請求項１から５のいずれか１項に記載の釣り用ルアーに用いられることを特徴とするルアー本体。
【請求項７】
請求項１から５のいずれか１項に記載の釣り用ルアーに用いられることを特徴とするリグ部材。
【発明の詳細な説明】
【技術分野】
【０００１】
本発明は，釣り用ルアー等に関する。さらに詳しくいうと本発明は，軟質性のルアー本体と，当該ルアー本体に装着される針状部材（リグ部材）とからなり，これらが一体的に組み合わされて使用される釣り用ルアー（ソフトベイト）等に関する。
【背景技術】
【０００２】
魚類の釣りにおいて，ルアーの選択は，極めて重要である。すなわち，釣りの対象となる魚の特徴や釣り場の状況などを踏まえて，数多くの選択肢の中から，最適なルアーを選ぶ必要がある。そのため，多種多様で数多くのルアーが販売されており，また，釣り手法の変化や流行とともに，新たなルアーが開発されている。
ルアーの中には，軟質素材で作製された「ソフトベイト」と呼ばれるルアーがある。そして，ソフトベイトの中には，軟質性のルアー本体と，これに装着され，釣り針の機能を果たすリグ部材とからなり，これらが一体的に組み合わされて使用されるものがある（特許文献１）。
【先行技術文献】
【特許文献】
【０００３】
【特許文献１】特開２００２−０６５１１４号公報
【発明の概要】
【発明が解決しようとする課題】
【０００４】
特許文献１には，軟質性のルアー本体の先端部分（疑似餌の魚でいうところの頭部分）に，錘としての機能を備えたリグ部材を組み合わせて使用されるソフトベイトに関する技術が開示されている。
このソフトベイトは，使用する際，頭部分に錘が装着されているため，頭を下にして沈んでいく。そして，ソフトベイトが沈んでいく際，軟質性のルアー本体が揺れながら沈んでいくこととなる。この様子が，あたかも魚が下方向に向かって泳いでいるかのように見えることから，魚に錯覚を与え，疑似餌としての機能を発揮しうる。
【０００５】
特許文献１に記載される従来技術は，現在，広く使用されているソフトベイトの一つであり，この点から優れた技術であることは間違いない。しかるに，かかる従来技術においても改良すべき点があることを発明者は見出した。すなわち，ソフトベイトの沈下速度及び水中姿勢の点である。
従来技術は，その構造上，錘が頭部分に装着されていることから，沈下速度が速く，またソフトベイト全体として頭部分が下を向いた状態で沈んでいき，水面に対して垂直（ないしこれに近い方向）に姿勢を保ちながら沈んでいくことが避けられない。もちろん，釣りを行う際に，竿を左右に振るなどして，垂直姿勢を変えることはできるものの，一時的なものに過ぎない。魚によっては，速い沈下速度で垂直姿勢のまま沈んで行く疑似餌に反応しづらい，もしくは，反応はしても針掛かりしづらい魚がいる一方，水面に対して平行（ないしこれに近い方向）に姿勢を保ちながらゆっくりと沈んでいく疑似餌に反応しやすい魚もいる。この意味において，従来技術は，疑似餌の沈下速度及び水中姿勢の自由度が限られる（水平姿勢を保ちづらい）点で課題を有するものである。
【０００６】
上記事情を背景として，本発明では，水中において，沈下速度の調節及び水平姿勢を保つことが比較的容易な釣り用ルアーの開発を課題とする。
【課題を解決するための手段】
【０００７】
発明者は，鋭意研究の結果，軟質性のルアー本体に，所定の構成を有するリグ部材を装着することにより，重量の偏りを防止できることを見出し，発明を完成させるに至った。
すなわち，発明者は，軟質性のルアー本体の長軸方向に直線状のリグ部材を通すことにより，重量の偏りを防止し，ルアー全体として水平姿勢を保ったまま沈んでいきやすくすることが可能な構造に着想したものである。
【０００８】
かかる思想を具現化するため，ルアー本体は，リグ部材を取り付けるための部位（第一棒状体挿入部位）を備える。一方，リグ部材は，当該リグ部材をルアー本体に取り付けるための棒状の部材（第一棒状体）と，釣針となるリグ部を有する棒状の部材（第二棒状体）とから構成される。
リグ部材は，これら棒状の部材から構成され，ルアー本体の長軸方向に沿った形で当該ルアー本体に組み合わせることにより，頭部分への重量の偏りを防止し，かつ，リグ部材に一定の錘としての役割を果たさせることで，水中において水平姿勢を保ちつつ沈んでいくことが可能な釣り用ルアーの発明を，発明者は完成させたものである。
【０００９】
さらに発明者は，新たな課題を発見した。すなわち，このままの構成だと，ソフトベイトの姿勢が容易に曲がったり，また，第一棒状体とソフトベイトとの隙間に釣糸が絡まったりしやすくなるという課題である。
そこで発明者は，第二棒状体に凸状屈曲部を形成するとともに，これに対応する凸状屈曲部収納部位をルアー本体に形成した改良釣り用ルアーを完成させた。さらに発明者は，第二棒状体にソフトベイトを固定させるための棘部を設けた改良釣り用ルアーを完成させた。
これら改良釣り用ルアーにおいて，前項で述べた錘の必要な状況においては，凸状屈曲部に錘を設置することが可能であり，設置された錘ごと凸状屈曲部収納部位に収納することにより，ルアーとしての外観を保持しつつ，ルアーとしての機能を高めることを可能とするものである。加えて，棘部を軟質性のルアー本体に突き刺して用いることにより，ルアー本体とリグ部材との一体性・安定性のさらなる向上を可能としたものである。
【００１０】
本発明は，これらの構成により，リグ部材全体が錘としての役割を果たし，特段の錘を備えることなく，ルアー本体の使用を行うことが可能となる。また，潮流が速い場合や魚のいる層が深いと考えられる場合には，リグ部材の所定の位置に，錘を装着して用いることができる。
このように，錘装着の有無，ないし装着する錘の大きさや重さにより，沈下速度の調節を行うことが可能となるものである。これにより，対象魚が好む沈下速度を実現することを可能とし，対象魚の捕食行為の特徴（下方向から噛み付いてくるなど）に合わせ，水平姿勢を保ちながら，より針掛かりがしやすい状態で，ゆらゆらとゆっくり沈下して行くことを可能とするものである。
【００１１】
本発明は，以下の構成からなる。
本発明の第一の構成は，軟質性のルアー本体と，当該ルアー本体に装着されるリグ部材と，からなる釣り用ルアーであって，前記リグ部材は，第一棒状体と，釣針となるリグ部を有し，前記第一棒状体に連結された第二棒状体と，を備え，前記ルアー本体は，先端部に設けられた，前記第一棒状体が挿入される第一棒状体挿入部位を備え，前記第一棒状体が前記第一棒状体挿入部位に挿入されることにより，前記ルアー本体と前記リグ部材とが一体的に組み合わされることを特徴とする釣り用ルアーである。
【００１２】
本発明の第二の構成は，前記第二棒状体に凸状屈曲部が形成されるとともに，前記ルアー本体の略中央部に凸状屈曲部収納部位が形成され，
前記凸状屈曲部が前記凸状屈曲部収納部位に収納された状態で，前記ルアー本体と前記リグ部材とが一体的に組み合わされることを特徴とする第一の構成に記載の釣り用ルアーである。
本発明の第三の構成は，前記第二棒状体に，前記ルアー本体に突き刺すための棘部が設けられていることを特徴とする第一又は第二の構成に記載の釣り用ルアーである。
本発明の第四の構成は，前記凸状屈曲部の横辺に沿って，前記ルアー本体に突き刺すための棘部が設けられていることを特徴とする第二の構成に記載の釣り用ルアーである。
本発明の第五の構成は，前記リグ部が，前記第二棒状体の後端部もしくは略中央部のいずれか又は双方に設置されていることを特徴とする第一から第四の構成に記載の釣り用ルアーである。
【００１３】
本発明の第六の構成は，第一から第五の構成に記載の釣り用ルアーに用いられることを特徴とするルアー本体である。
本発明の第七の構成は，第一から第五の構成に記載の釣り用ルアーに用いられることを特徴とするリグ部材である。
【発明の効果】
【００１４】
本発明により，水中において，沈下速度の調節及び水平姿勢を保つことが比較的容易な釣り用ルアーの提供が可能となった。すなわち，本発明の釣り用ルアーは，未だかつてなかった水中における沈下速度の調節ならびに水平姿勢の保持，これらを比較的容易に達成しうるものである。
【図面の簡単な説明】
【００１５】
【図１】本発明の実施の形態１における釣り用ルアーの構成部材であるルアー本体を示す図（（ａ）は側面図，（ｂ）は底面図）
【図２】（ａ）は本発明の実施の形態１における釣り用ルアーの構成部材であるリグ部材を示す側面図，（ｂ）は当該釣り用ルアーの構成を示す側面図
【図３】（ａ）は本発明の実施の形態１における釣り用ルアーの構成部材であるリグ部材の他の例を示す側面図，（ｂ）は当該釣り用ルアーの構成を示す側面図
【図４】（ａ）は本発明の実施の形態２における釣り用ルアーの構成部材であるリグ部材を示す側面図，（ｂ）は当該釣り用ルアーの構成を示す側面図
【図５】本発明の実施の形態２における釣り用ルアーの構成部材であるリグ部材に設置される錘を示す図（（ａ）は斜視図，（ｂ）は底面図）
【図６】本発明の実施の形態における釣り用ルアーの構成部材であるリグ部材のさらなる他の例を示す側面図
【図７】本発明の実施の形態における釣り用ルアーの構成部材であるルアー本体の他の例を示す図（（ａ）は側面図，（ｂ）は底面図）
【図８】（ａ）は本発明の実施の形態３における釣り用ルアーの構成部材であるリグ部材を示す側面図，（ｂ）は当該釣り用ルアーの構成を示す側面図
【図９】（ａ）は本発明の実施の形態３における釣り用ルアーの構成部材であるリグ部材の他の例を示す側面図，（ｂ）は当該釣り用ルアーの構成を示す側面図
【図１０】（ａ）は本発明の実施の形態３における釣り用ルアーの構成部材であるリグ部材のさらなる他の例を示す側面図，（ｂ）は当該釣り用ルアーの構成を示す側面図
【図１１】本発明の釣り用ルアーの構成部材であるリグ部材の試作例１を示す側面図
【図１２】本発明の釣り用ルアーの試作例１を示す側面図
【図１３】本発明の釣り用ルアーの試作例１を示す底面図
【図１４】本発明の釣り用ルアーの試作例２を示す分解側面図
【図１５】本発明の釣り用ルアーの試作例２を示す部分側面図
【発明を実施するための形態】
【００１６】
以下，好適な実施の形態を用いて本発明をさらに具体的に説明する。ただし，下記の実施の形態は本発明を具現化した例に過ぎず，本発明はこれに限定されるものではない。
【００１７】
＜＜Ｉ．本発明の要旨＞＞
本発明の釣り用ルアーは，下記の技術的要素から構成されるものである。
(1)  軟質性のルアー本体とリグ部材とからなり，これらが可逆的に一体となって，釣り用ルアーを構成する。
(2)  軟質性のルアー本体は，リグ部材を取り付けるための部位（第一棒状体挿入部位）を備える。
(3)  リグ部材は，一定の重量を有する直線状の部材であって，一つもしくは複数のリグ部（釣針）を有する。なお，ここで「直線状の部材」とは，１本の直線部材だけを意味するものではなく，本発明の趣旨に鑑み，ルアー本体の長軸方向に沿った形で直線的に配置される，単一もしくは複数の部材として解釈すべきものである。また，必ずしも純粋な直線ではなく，一定程度ないし部分的に，歪曲等していても構わない。
(4)  これらの構成によれば，リグ部材がルアー全体に一定の重量を与えることにより，水中において釣り用ルアーの水平姿勢を長時間保つことが可能となる。
(5)  さらに，リグ部材に凸状屈曲部を，ルアー本体に凸状屈曲部収納部位をそれぞれ形成することにより，重量が不足する場合においても，凸状屈曲部に錘を設置して，ルアー全体としての重量を増加させることができる。なお，本発明において錘を設置する位置については，水平姿勢を保つことを目的として，凸状屈曲部に錘を設置することが好ましいが，必ずしもこれに限定する趣旨ではない。例えば，小さめの錘を，複数設置してもよいし，敢えて，頭を傾けることを目的として，先端部分に近いところに錘を設置しても構わない。
【００１８】
＜＜II．発明の構成＞＞
［軟質性のルアー本体］
軟質性のルアー本体は，釣り用ルアーの本体である疑似餌としての役割を果たすものであり，第一棒状体挿入部位を必須の構成要素とする。
軟質性のルアー本体は，魚の形を模した疑似餌としての役割を果たし，かつ，第一棒状体挿入部位を必須の構成要素として備える限り，特に限定されるものではなく，種々の形状ないし色彩のものを用いることができる。典型的には，図１２から図１５の試作例に示すように，魚の形を模した軟質合成樹脂やラバー等の軟質素材からなるものを用いればよい。
【００１９】
第一棒状体挿入部位は，後述するリグ部材を取り付けるための部位としての役割を有する。第一棒状体挿入部位は，この役割を有する限り，特に限定されるものではなく，リグ部材における第一棒状体を取り付けることが可能な種々の構成とすることができる。
第一棒状体挿入部位は，図２に示すように，第一棒状体を細長い円柱状の部材として構成し，これに対応した形状の長孔として構成すればよい。これにより，第一棒状体挿入部位ないし第一棒状体を複雑な形状とすることなく構成することが可能となり，本発明の釣り用ルアーの取扱性や経済性を向上させることができる。
【００２０】
軟質性のルアー本体の略中央部には，凸状屈曲部収納部位が形成されていることが好ましい。この好ましい構成によれば，後述する第二棒状体の凸状屈曲部の収納が可能となることにより，釣り用ルアーとしての安定性を向上させることができる。加えて，凸状屈曲部に錘を設置した際に，これを収納することが可能となるため，ルアーとしての外観を損なうことなく，本発明の釣り用ルアーの性能を向上させることができる。
凸状屈曲部収納部位は，リグ部材の凸状屈曲部を，覆い隠すことによって収納する役割を有する。凸状屈曲部収納部位は，この役割を有する限り，特に限定されるものではなく，種々の形状ないし大きさのものとすることができる。
凸状屈曲部収納部位は，図１に示すように，軟質性のルアー本体の腹部に割れ目として形成すればよい。これにより，凸状屈曲部収納部位を容易に形成することが可能となり，本発明の釣り用ルアーの経済性を向上させることができる。
なお，図面等に例示した凸状屈曲部収納部位は，リグ部材の凸状屈曲部に応じて１つだけ形成されているが，必ずしもこのような構成に限定されるものではない。凸状屈曲部の数に応じて複数の凸状屈曲部収納部位を形成することもできる。
【００２１】
［リグ部材］
リグ部材は，軟質性のルアー本体に取り付けられ，部材全体としての錘の役割，ならびに，釣針としての役割を果たす。このことから，リグ部材は，軟質性のルアー本体に取り付けるための第一棒状体，ならびに，釣針となるリグ部を有する第二棒状体を必須の構成要素とする。さらに第二棒状部は，錘を設置することが可能な凸状屈曲部を任意の構成要素とする。リグ部材は，これらの役割ないし構成を有する限り，特に限定されるものではなく，種々の形状のものを採用することができる。例えば，釣糸を係止するための釣糸係止部や，リグ部を設置するためのリグリングなどを設けることができる。
【００２２】
第一棒状体は，リグ部材を軟質性のルアー本体に取り付けるための役割を果たす。第一棒状体は，この役割を果たす限り，特に限定されるものではなく，種々の形状ないし長さのものを採用することができる。第一棒状体は，典型的には，図２に示すように，一定程度の長さを有する細い円柱状の部材（直線部材）として構成すればよい。さらに，第一棒状体は，図６（ｂ）に示すように，湾曲していても構わない。
【００２３】
第二棒状体は，釣針となるリグ部を必須の構成要素として有し，また，錘を設置することが可能な凸状屈曲部を任意の構成要素として備えることにより，実質的には，重量調整と釣針の両方の役割を果たす。第二棒状体は，これらの役割を果たす限り，特に限定されるものではなく，種々の形状のものを採用することができる。
【００２４】
リグ部は，釣針としての機能を果たすものである。リグ部は，この機能を果たしうる限り，特に限定されるものではなく，種々の形状ないし大きさのものを採用することができる。
リグ部は，例えば図２，図３に示すような，２つや４つに分岐した形状のものなどとすればよい。また，リグ部は，同じく図２，図３に示すように，第二棒状体の後端部（疑似餌の尾近辺に相当する部位）もしくは凸状屈曲部（疑似餌の腹周辺に相当する部分）のいずれか又は双方に設置することができる。
なお，リグ部については，図１１ないし図１５などの試作例に示すように，第二棒状体と一体不可分の部材として形成してもよいし，リグリングを設けて，リグ部を可逆的に設置できる構成としてもよい。
【００２５】
凸状屈曲部は，軟質性のルアー本体との結合を強固にするとともに，錘を設置するための部位として機能するものである。凸状屈曲部は，これらの機能を果たしうる限り，特に限定されるものではなく，種々の形状のものを採用することができる。
凸状屈曲部は，図２に示すように，横辺が直線状になっていることが好ましい。この好ましい構成によれば，錘を設置しやすくなって，本発明の釣り用ルアーの取扱性ならびに性能が向上する。
【００２６】
第二棒状体には，さらに棘部を設けることができる。棘部は，ルアー本体に突き刺して用いる棘としての役割を果たす。これにより，ルアー本体とリグ部材との一体性・安定性を向上させることができる。棘部は，かかる役割を果たす限り，特に限定されるものではなく，種々の形状ないし長さのものを採用することができる。また，棘部の数は，１つであっても複数であっても構わない（以上，図８ないし図１０を参照）。
典型的には，図８に示すように，棒状部材の一側面を削って注射針の先のような形状とすればよい。また，鉛筆の先のような円錐状の形状や多角錐状の形状などとしてもよい。
棘部は，図８，図１４，図１５に示すように，凸状屈曲部の横辺に沿って設けられていることが好ましい。この好ましい構成によれば，棘部をルアー本体の内部に突き刺して用いることが可能となり，ルアー本体とリグ部材との一体性・安定性をより向上させることができる。
【００２７】
リグ部材は，第一棒状体と第二棒状体を連結することによって構成される。これについては，例えば図６（ｅ）に示すように，鎖などで連結して構成してもよいが，図２などに示すように，第一棒状体に第二棒状体が略Ｊの字状に一体の部材となって構成されることが好ましい。この好ましい構成によれば，鉄などからなる一つの棒状体を折り曲げ加工することにより，リグ部材の主となる骨格を形成することが可能となり，本発明の釣り用ルアーの製造コストを低減できるという効果が得られる。
【００２８】
＜＜III．実施の形態＞＞
［実施の形態１］
まず，本発明の実施の形態１における釣り用ルアーの構成について，図１，図２を参照しながら説明する。
【００２９】
図１は，本発明の実施の形態１における釣り用ルアーの構成部材であるルアー本体を示す図（（ａ）は側面図，（ｂ）は底面図），図２（ａ）は，当該釣り用ルアーの構成部材であるリグ部材を示す側面図，図２（ｂ）は，当該釣り用ルアーの構成を示す側面図である。
【００３０】
図１，図２に示すように，本実施の形態の釣り用ルアー１は，軟質性のルアー本体２と，当該ルアー本体２に装着されるリグ部材３と，からなっている。
図２に示すように，リグ部材３は，第一棒状体４と，２つに分岐した形状の釣針となるリグ部６を後端部に有し，第一棒状体４に連結された第二棒状体７と，を備えている。
図１，図２に示すように，ルアー本体２は，先端部に設けられた，第一棒状体４が挿入される第一棒状体挿入部位９を備えている。
そして，図２（ｂ）に示すように，第一棒状体４が第一棒状体挿入部位９に挿入されることにより，ルアー本体２とリグ部材３とが一体的に組み合わされる。
【００３１】
ここで，第一棒状体４は，鉄製の細長い円柱状の直線部材として構成されており，第一棒状体挿入部位９は，これに対応した形状の長孔として構成されている。また，第二棒状体７は，鉄製の細長い円柱状の直線状部材として構成されている。そして，リグ部材３は，第一棒状体４に第二棒状体７が略Ｊの字状に一体の部材となって構成されている。リグ部６を含めた第二棒状体７の長さは，ルアー本体２の長さと略同じである。
また，ルアー本体２は，ポリ塩化ビニール等の軟質合成樹脂からなっている。
【００３２】
本実施の形態の釣り用ルアー１の構成によれば，リグ部材３が当該釣り用ルアー１の全体に一定の重量を与えることにより，水中において水平姿勢を長時間保たせることが可能となる。
【００３３】
図１，図２に示すように，リグ部材３の第二棒状体７の略中央部には，当該第二棒状体７を矩形状に屈曲加工することによって凸状屈曲部５が形成されている。一方，ルアー本体２の略中央部には，凸状屈曲部収納部位１０が形成されている。ここで，凸状屈曲部収納部位１０は，ルアー本体２の腹部に割れ目として形成されている。
そして，図２（ｂ）に示すように，第一棒状体４が第一棒状体挿入部位９に挿入されたときに，凸状屈曲部５が凸状屈曲部収納部位１０に収納された状態で，ルアー本体２とリグ部材３とが一体的に組み合わされる。
かかる構成によれば，リグ部材３と軟質性のルアー本体２との結合を強固なものとすることが可能となり，軟質性のルアー本体２の外れ防止を図ることができる。また，第二棒状体７の凸状屈曲部５の収納が可能となることにより，釣り用ルアー１としての安定性を向上させることもできる。
図２中，参照符号８は釣糸を係止するための釣糸係止部を示している。
【００３４】
なお，本実施の形態においては，第二棒状体７の後端部に，２つに分岐した形状の釣針となるリグ部６を有する場合を例に挙げて説明したが，本発明は必ずしもこのような構成に限定されるものではない。例えば，図３に示すように，リグ部１３ａ，１３ｂが第二棒状体７の後端部と略中央部にそれぞれ設置されていてもよい。また，リグ部は，第二棒状体７の略中央部だけに設置されていてもよい。さらに，図３に示すように，第二棒状体７は，４つに分岐した形状の釣針となるリグ部１３ａ，１３ｂを有していてもよい。
図３中，参照符号１１は釣り用ルアーを，参照符号１２はリグ部材を，それぞれ示している。
【００３５】
［実施の形態２］
次に，本発明の実施の形態２における釣り用ルアーの構成について，図４，図５を参照しながら説明する。
【００３６】
図４（ａ）は，本発明の実施の形態２における釣り用ルアーの構成部材であるリグ部材を示す側面図，図４（ｂ）は，当該釣り用ルアーの構成を示す側面図，図５は，当該釣り用ルアーの構成部材であるリグ部材に設置される錘を示す図（（ａ）は斜視図，（ｂ）は底面図）である。
【００３７】
図４に示すように，本実施の形態の釣り用ルアー１４においては，第二棒状体７の後端部と凸状屈曲部５に，釣針となるリグ部１６ａ，１６ｂがそれぞれ設置されている。ここで，リグ部１６ａは，２つに分岐した形状のものであり，リグ部１６ｂは，４つに分岐した形状のものである。
図４中，参照符号１５はリグ部材を示している。
【００３８】
第二棒状体７の凸状屈曲部５には，錘１７が設置されている。
ここで，凸状屈曲部５は，上記したように，矩形状に屈曲加工され，その横辺５ａが直線状になっている。一方，錘１７は，図５に示すように，略半楕円球状の鉛からなり，その底面には直線状の溝１７ａが形成されている。そして，凸状屈曲部５の横辺５ａを錘１７の溝１７ａに入れ込んだ後，当該錘１７を潰すことにより，第二棒状体７の凸状屈曲部５に錘１７を設置することができる。
なお，以上説明した構成以外の構成は上記実施の形態１における釣り用ルアー１の構成と同じであるため，上記実施の形態１における釣り用ルアー１の構成部材と同じ構成部材には同一の参照符号を付し，それらの説明は省略する。
【００３９】
本実施の形態の釣り用ルアー１４の構成によれば，重量が不足する場合においても，凸状屈曲部５に錘１７を設置して，ルアー全体としての重量を増加させることができる。その結果，潮流が速いときなどでも，ルアーをうまく沈ませることができる。また，凸状屈曲部５に錘１７を設置した際に，これを凸状屈曲部収納部位１０に収納することができるため，ルアーとしての外観を損なうことなく，当該ルアーの性能を向上させることができる。
また，本実施の形態の釣り用ルアー１４の構成によれば，錘装着の有無，ないし装着する錘１７の大きさ・重さにより，沈下速度の調節を行うことが可能となる。そして，これにより，対象魚が好む沈下速度を実現することを可能とし，対象魚の捕食行為の特徴（下方向から噛み付いてくるなど）に合わせ，水平姿勢を保ちながら，より針掛かりがしやすい状態で，ゆらゆらとゆっくり沈下して行くことを可能とすることができる。
【００４０】
なお，本実施の形態においては，第二棒状体７の後端部と凸状屈曲部５に，２つに分岐した形状の釣針となるリグ部１６ａと４つに分岐した形状の釣針となるリグ部１６ｂをそれぞれ有する場合を例に挙げて説明したが，本発明は必ずしもこのような構成に限定されるものではない。リグ部は，第二棒状体７の後端部もしくは略中央部（凸状屈曲部５）の少なくともいずれかに設置されていればよい。また，リグ部はいくつに分岐されていてもよい。
【００４１】
また，上記実施の形態１，２においては，第二棒状体７が鉄製の細長い円柱状の直線状部材として構成され，その略中央部に矩形状の一つの凸状屈曲部５が形成されている場合を例に挙げて説明したが，本発明は必ずしもこのような構成に限定されるものではない。
例えば，図６（ａ）から（ｃ）に示すように，第二棒状体のうち，凸状屈曲部５以外の部分は，若干上方に反った形状となっていてもよい。図６（ａ）から（ｃ）中，参照符号１８から２０は第二棒状体を示している。かかる構成によれば，第二棒状体をルアー本体の腹部の形状にうまく沿わせることが可能となる。
また，図６（ｃ）に示すように，複数の凸状屈曲部５ｂ，５ｃが形成されていてもよい。そして，この場合には，凸状屈曲部の数に応じて，ルアー本体に複数の凸状屈曲部収納部位を形成するようにしてもよい。かかる構成によれば，軟質性のルアー本体との結合をより強固のものとすることができる。
また，例えば図６（ｄ）に示すように，第二棒状体の略中央部に半楕円状の凸状屈曲部２１を形成するようにしてもよい。図６（ｄ）中，参照符号２２は第二棒状体を示している。
また，第二棒状体の素材としては，鉄の他に鋼やステンレス等を用いることもできる。
【００４２】
また，上記実施の形態１，２においては，第一棒状体４が鉄製の細長い円柱状の直線部材として構成されている場合を例に挙げて説明したが，本発明は必ずしもこのような構成に限定されるものではない。
例えば，図６（ｂ）に示すように，湾曲した形状の第一棒状体２３を用いるようにしてもよい。
また，第一棒状体の素材としては，鉄の他に鋼やステンレス等を用いることもできる。
【００４３】
また，上記実施の形態１，２においては，第一棒状体４に第二棒状体７が略Ｊの字状に一体の部材となって構成されたリグ部材を例に挙げて説明したが，本発明は必ずしもこのような構成に限定されるものではない。
例えば，図６（ｅ）に示すように，第一棒状体４と第二棒状体２４を鎖２５などで連結するようにしてもよい。
【００４４】
また，上記実施の形態１，２においては，第二棒状体７の略中央部に凸状屈曲部５が形成されている場合を例に挙げて説明したが，本発明は必ずしもこのような構成に限定されるものではない。
例えば，図６（ｆ）に示すように，凸状屈曲部が形成されていない第二棒状体２６を用いてリグ部材を構成するようにしてもよい。そして，この場合には，図７に示すような，凸状屈曲部収納部位が形成されていないルアー本体２７を用いればよい。
【００４５】
［実施の形態３］
次に，本発明の実施の形態３における釣り用ルアーの構成について，図８を参照しながら説明する。
【００４６】
図８（ａ）は，本発明の実施の形態３における釣り用ルアーの構成部材であるリグ部材を示す側面図，図８（ｂ）は，当該釣り用ルアーの構成を示す側面図である。
【００４７】
図８に示すように，本実施の形態の釣り用ルアー２８においては，凸状屈曲部５の横辺５ａに沿って，ルアー本体２に突き刺すための棘部３０が設けられている。ここで，棘部３０は，棒状部材の一側面を削って注射針の先のような形状とされており，その基端部が凸状屈曲部５の横辺５ａの後端部に固着されている。
図８中，参照符号２９はリグ部材を示している。
なお，以上説明した構成以外の構成は上記実施の形態２における釣り用ルアー１４の構成と同じであるため，上記実施の形態２における釣り用ルアー１４の構成部材と同じ構成部材には同一の参照符号を付し，それらの説明は省略する。
【００４８】
本実施の形態の釣り用ルアー２８の構成によれば，第一棒状体４が第一棒状体挿入部位９に挿入されるときに，凸状屈曲部５が凸状屈曲部収納部位１０に収納されると同時に，棘部３０がルアー本体２の内部（凸状屈曲部収納部位１０）に水平状態で突き刺さり，この状態で，ルアー本体２とリグ部材２９とが一体的に組み合わされる。その結果，ルアー本体とリグ部材との一体性・安定性をより向上させることが可能となる。
【００４９】
なお，本実施の形態においては，棒状部材の一側面を削って注射針の先のような形状とされた棘部３０を例に挙げて説明したが，本発明は必ずしもこのような構成に限定されるものではない。棘部は，例えば，鉛筆の先のような円錐状の形状や多角錐状の形状などとされたものであってもよい。
【００５０】
また，本実施の形態においては，凸状屈曲部５の横辺５ａに沿って，ルアー本体２に突き刺すための棘部３０が１つだけ設けられている場合を例に挙げて説明したが，本発明は必ずしもこのような構成に限定されるものではない。棘部は，第二棒状体に設けられていれば十分であり，その数も問わない。
例えば，図９に示す釣り用ルアー３１のように，リグ部材３３の第二棒状体３４の後端部に，当該第二棒状体３４に対して略垂直上向きに棘部３５を設けるようにしてもよい。また，図１０に示す釣り用ルアー３６のように，リグ部材３７の第二棒状体３８の後端部分に，当該第二棒状体３８に対して略垂直上向きに複数の棘部３９，４０を設けるようにしてもよい。
これらの構成によれば，第一棒状体４を第一棒状体挿入部位９に挿入した後，第二棒状体３４（３８）をルアー本体３２に押し付けることにより，棘部３５（３９，４０）をルアー本体３２に突き刺した状態で，ルアー本体３２とリグ部材３３（３７）を一体的に組み合わせることができる（図９（ｂ），図１０（ｂ）を参照）。そして，これらの構成によっても，ルアー本体とリグ部材との一体性・安定性をより向上させることが可能となる。
【００５１】
＜＜IV．試作例＞＞
［試作例１］
図１１に本発明の釣り用ルアーの構成部材であるリグ部材の試作例１の側面図を，図１２に当該釣り用ルアーの試作例１の側面図を，図１３に当該釣り用ルアーの試作例１の底面図を，それぞれ示す。
図１１に示すリグ部材は，鉄製の一つの棒状体を折り曲げ加工することによって得られたものであり，第一棒状体と，釣糸係止部と，矩形状の凸状屈曲部が形成された第二棒状体と，を備えている。そして，第二棒状体の後端部に，２つに分岐した形状の釣針となるリグ部が設置され，凸状屈曲部に，４つに分岐した形状の釣針となるリグ部が設置されている。
図１２，図１３に示すルアー本体は，軟質合成樹脂やラバー等の軟質素材からなり，先端部に第一棒状体挿入部位を備え，腹部に凸状屈曲部収納部位が割れ目として形成されている。
そして，第一棒状体を第一棒状体挿入部位に挿入することにより，凸状屈曲部が凸状屈曲部収納部位に収納された状態で，ルアー本体とリグ部材とが一体的に組み合わされている。
以上の試作例１によれば，リグ部材が釣り用ルアーの全体に一定の重量を与えることにより，水中において水平姿勢を長時間保たせることが可能となる。
【００５２】
［試作例２］
図１４に本発明の釣り用ルアーの試作例２の分解側面図を，図１５に当該釣り用ルアーの試作例２の部分側面図を，それぞれ示す。
図１４に示すリグ部材は，鉄製の一つの棒状体を折り曲げ加工することによって得られたものであり，第一棒状体と，釣糸係止部と，矩形状の凸状屈曲部が形成された第二棒状体と，を備えている。そして，第二棒状体の後端部に，２つに分岐した形状の釣針となるリグ部が設置され，凸状屈曲部に，４つに分岐した形状の釣針となるリグ部が設置されている。また，凸状屈曲部の横辺に沿って，ルアー本体に突き刺すための棘部が設けられている。ここで，棘部は，その基端部が凸状屈曲部の横辺の後端部に固着されている。
図１４，図１５に示すルアー本体は，軟質合成樹脂やラバー等の軟質素材からなり，先端部に第一棒状体挿入部位を備え，腹部に凸状屈曲部収納部位が割れ目として形成されている。
そして，第一棒状体を第一棒状体挿入部位に挿入することにより，凸状屈曲部が凸状屈曲部収納部位に収納されると同時に，棘部がルアー本体の内部（凸状屈曲部収納部位）に水平状態で突き刺さり，この状態で，ルアー本体とリグ部材とが一体的に組み合わされている。
以上の試作例２によれば，リグ部材が釣り用ルアーの全体に一定の重量を与えることにより，水中において水平姿勢を長時間保たせることが可能となる。また，ルアー本体とリグ部材との一体性・安定性をより向上させることが可能となる。
【符号の説明】
【００５３】
１，１１，１４，２８，３１，３６  釣り用ルアー
２，２７，３２  ルアー本体
３，１２，１５，２９，３３，３７  リグ部材
４，２３  第一棒状体
５，５ｂ，５ｃ，２１  凸状屈曲部
５ａ  横辺
６，１３ａ，１３ｂ，１６ａ，１６ｂ  リグ部
７，１８，１９，２０，２２，２４，２６，３４，３８  第二棒状体
８  釣糸係止部
９  第一棒状体挿入部位
１０  凸状屈曲部収納部位
１７  錘
１７ａ  溝
２５  鎖
３０，３５，３９，４０  棘部
【図１】
2018046758.tif 000003
【図２】
2018046758.tif 000004
【図３】
2018046758.tif 000005
【図４】
2018046758.tif 000006
【図５】
2018046758.tif 000007
【図６】
2018046758.tif 000008
【図７】
2018046758.tif 000009
【図８】
2018046758.tif 000010
【図９】
2018046758.tif 000011
【図１０】
2018046758.tif 000012
【図１１】
2018046758.tif 000013
【図１２】
2018046758.tif 000014
【図１３】
2018046758.tif 000015
【図１４】
2018046758.tif 000016
【図１５】
2018046758.tif 000017